(57)【要約】【課題】  粘着用テープにおける粘着片のテープ繰出し操作が簡易な構造をもって行えるとともに、コストを低減させることができ、かつ故障の頻度が小さくなるようにする。【解決手段】  テープ繰出ヘッド１２を、供給リール３から繰出された粘着用テープ９の粘着片１１が分断されて剥離された後のベーステープ１０を巻取リール４に向けて折り返すようにした第１ローラ１３と、この第１ローラの上方に配置され、かつ折返し後のベーステープを第１ローラとの間で挟圧可能な圧接方向に向けて移動可能にした第２ローラ１４とより構成する。テープ繰出し時に、第２ローラを、第１ローラに向け押圧して、第１ローラにベーステープが挟圧状態をもって圧接されるように保持しながら、回転させることにより、粘着用テープを、供給リールから第１ローラに向けて繰り出し、かつベーステープを巻取リールに巻き取るようにする。【選択図】  図１
2010083086.tif 000002
【特許請求の範囲】
【請求項１】
ベーステープに所望の長さ単位で分断可能に粘着片が連設された粘着用テープを巻回した供給リールと、前記収容ケースの前端開口から突設され、かつ前記供給リールから繰り出される前記粘着用テープが掛け渡されるテープ繰出ヘッドと、このテープ繰出ヘッドによって粘着片が分断され剥離された後のベーステープを後方に向けて折り返して巻き取るようにした巻取リールとを備えるテープ繰出し装置であって、
テープ繰出ヘッドを、粘着用テープにおける粘着片を分断し剥離した後のベーステープを巻取リールに向けて折り返すようにした第１ローラと、この第１ローラの上方に配置され、かつ折返し後の前記ベーステープを第１ローラとの間で挟圧可能な圧接方向に移動可能にした第２ローラとより構成するとともに、テープ繰出し時に、第２ローラを、第１ローラに向け押圧して、第１ローラに前記ベーステープが挟圧状態をもって圧接されるように保持しながら、回転させることにより、粘着用テープを、供給リールから第１ローラに向けて繰り出すと同時に、前記ベーステープを巻取リールに巻き取るようにしたことを特徴とするテープ繰出し装置。
【請求項２】
第２ローラを、第１ローラの径よりも大きくした請求項１記載のテープ繰出し装置。
【請求項３】
粘着用テープの繰出し方向に回転する供給リールの逆回転が防止される逆回転防止機構を備えた請求項１または２記載のテープ繰出し装置。
【請求項４】
供給リールから繰り出される粘着用テープを、第１ローラをもって、被転写面上に圧接して転写操作することにより、粘着用テープの粘着片を連続的に転写可能にした請求項１〜３のいずれかに記載のテープ繰出し装置。
【発明の詳細な説明】
【技術分野】
【０００１】
本発明は、例えば製図、デザインワークなどのドラフティング中における原稿や台紙へのトレーシングペーパーの仮止めなどに用いられる粘着用テープのテープ繰出し装置に関する。
【背景技術】
【０００２】
本願の出願人は、先に出願し公開された特許文献１に開示したように、ベーステープに所望の長さ単位で粘着片を剥離可能に連設した粘着用テープを供給リールに巻回するとともに、この供給リールから繰り出される粘着用テープの粘着片を、紙面等に転写またはベーステープから分断し剥離した後、供給リールに動力伝達機構を介して連係させた巻取リールに、粘着片の剥離後のベーステープが自動的に巻き取られるようにしたテープ繰出し装置を提案した。
【０００３】
しかし、特許文献１に記載されたテープ繰出し装置は、収容ケース内からの粘着用テープの繰出しを、操作用レバーによって操作するようになっており、粘着用テープを、一回のレバー操作をもって所望の長さ分、繰り出すための操作性には優れるが、レバー操作機構の構造が複雑となる虞があるという問題があった。
【特許文献１】特開２００７−６９５２９号公報
【発明の開示】
【発明が解決しようとする課題】
【０００４】
本発明は、前記の問題点に鑑み、粘着用テープにおける粘着片のテープ繰出し操作が、所望する繰出し長さだけ連続的に容易に行いうるとともに、構造が複雑でなく、コストの低減と故障の頻度の抑制を図ることができるようにしたテープ繰出し装置を提供することを目的とする。
【課題を解決するための手段】
【０００５】
上記課題は、特許請求の範囲における各請求項に示すように、下記の構成を備える発明によって解決される。
【０００６】
(１)   ベーステープに所望の長さ単位で分断可能に粘着片が連設された粘着用テープを巻回した供給リールと、前記収容ケースの前端開口から突設され、かつ前記供給リールから繰り出される前記粘着用テープが掛け渡されるテープ繰出ヘッドと、このテープ繰出ヘッドによって粘着片が分断され剥離された後のベーステープを後方に向けて折り返して巻き取るようにした巻取リールとを備えるテープ繰出し装置であって、テープ繰出ヘッドを、粘着用テープにおける粘着片を分断し剥離した後のベーステープを巻取リールに向けて折り返すようにした第１ローラと、この第１ローラの上方に配置され、かつ折返し後の前記ベーステープを第１ローラとの間で挟圧可能な圧接方向に移動可能にした第２ローラとより構成するとともに、テープ繰出し時に、第２ローラを、第１ローラに向け押圧して、第１ローラに前記ベーステープが挟圧状態をもって圧接されるように保持しながら、回転させることにより、粘着用テープを、供給リールから第１ローラに向けて繰り出すと同時に、前記ベーステープを巻取リールに巻き取るようにする。
【０００７】
（２）  上記（１）項において、第２ローラを、第１ローラの径よりも大きくする。
【０００８】
（３）  上記（１）項または（２）項において、粘着用テープの繰出し方向に回転する供給リールの逆回転が防止される逆回転防止機構を備える。
【０００９】
（４）  上記（１）〜（３）項のいずれかにおいて、供給リールから繰り出される粘着用テープを、第１ローラをもって、被転写面上に圧接して転写操作することにより、粘着用テープの粘着片を連続的に転写可能にする。
【発明の効果】
【００１０】
本発明によると、次のような効果が奏せられる。
請求項１記載の発明によれば、テープ繰出ヘッドを、粘着片を分断し剥離した後のベーステープを巻取リールに向けて折り返すようにした第１ローラと、この第１ローラの上方に配置され、かつ折返し後のベーステープを第１ローラとの間で挟圧可能な圧接方向に移動可能にした第２ローラとより構成するとともに、テープ繰出し時に、第２ローラを、第１ローラに向け押圧して、第１ローラにベーステープが挟圧状態をもって圧接されるように保持しながら、回転させることにより、粘着用テープを、供給リールから第１ローラに向けて繰り出すと同時に、ベーステープを巻取リールに巻き取るようにしてあるため、テープ繰出し時に、収容ケースを握持した手の指をもって、第２ローラを第１ローラに向けて押圧し、回転させるだけで、粘着用テープにおける粘着片のテープ繰出し操作を、所望する繰出し長さだけ連続的に容易に行いうるとともに、構造が複雑でなく、コストの低減と故障の頻度の抑制を図ることができる。
【００１１】
請求項２記載の発明によれば、第２ローラを、第１ローラの径よりも大きくしてあるため、第２ローラの回転によるテープ繰出し操作を円滑に行える。
【００１２】
請求項３記載の発明によれば、粘着用テープの繰出し方向に回転する供給リールの逆回転が防止される逆回転防止機構を備えてあるため、粘着用テープを効率よく繰り出すことができる。
【００１３】
請求項４記載の発明によれば、供給リールから繰り出される粘着用テープを、第１ローラをもって、被転写面上に圧接して転写操作することにより、粘着用テープの粘着片を連続的に転写可能にしてあるため、通常の塗膜転写装置としても使用することができる。
【発明を実施するための最良の形態】
【００１４】
図１は、本発明の一実施形態における粘着用テープ繰出し装置の使用時の握持状態を示す側面図、図２は、粘着用テープ繰出し装置における不使用時の拡大縦断面図、図３は、  粘着用テープの一部拡大断面図、図４は、粘着用テープ繰出し装置のテープ繰出し操作状態を示す拡大縦断面図、図５は、テープ繰出ヘッドにおける粘着用テープの繰出し状態を一部切欠いて示す要部拡大斜視図である。
【００１５】
図１および図２に示すように、本発明のテープ繰出し装置１は、手を持って握持可能な側面視ほぼ鳩頭部状をなす収容ケース２を備えている。
この収容ケース２内には、供給リール３と巻取リール４とが収容されているとともに、これら供給リール３と巻取リール４は、動力伝達機構５を構成する供給ギア６と巻取ギア７とに、それぞれ着脱可能に装填され、かつ供給ギア６と巻取ギア７とは、中間ギア８を介して互いに噛合させることにより、供給リール３と巻取リール４とが連係して回転しうるようになっている。
【００１６】
供給リール３には、粘着用テープ９が繰出し可能に巻回されており、この粘着用テープ９は、図３に示すように、極薄の樹脂フィルムからなるベーステープ１０の下面に、易剥離性を有する腰（厚さ）のある粘着片１１が、分断線ａによって所望の長さ単位で分断可能となるように、テープ繰出し方向に連設されている。
【００１７】
供給リール３から繰り出される粘着用テープ９は、収容ケース２の前端開口２ａから突設させたテープ繰出ヘッド１２に掛け渡されるとともに、このテープ繰出ヘッド１２は、テープ繰出し時において、粘着用テープ９を、後記する第１ローラ１３によって上向きに曲げたときに、前記分断線ａを境に、粘着片１１がベーステープ１０の下面から自動的に分断されるように剥離可能になっている。
【００１８】
テープ繰出ヘッド１２は、その左右の側壁間に回転自在に軸支した第１ローラ１３と、この第１ローラ１３の上方に配置した第２ローラ１４とより構成するとともに、これらの第１、第２ローラ１３，１４は、ベーステープ１０に対して摩擦抵抗の大きいゴム等の素材によって形成され、かつ第２ローラ１４は、第１ローラ１３の径よりも大きくしてある。
【００１９】
第１ローラ１３は、その回転軸１５がテープ繰出ヘッド１２の左右の側壁間に回転自在に軸支されているとともに、供給リール３から繰り出される粘着用テープ９を、上方に向けて反り曲がるように屈曲させながら、巻取リール４に向けて反転しうるように案内することにより、ベーステープ１０の下面に連設された粘着片１１が、前記したように、分断線ａを境に分断されて剥離可能になっている。
【００２０】
粘着片９が分断され剥離された後のベーステープ１０は、第１ローラ１３の外周面に巻き込まれるように、後方に向けて折り返されて、巻取リール４に巻き取られるようになっている。
【００２１】
第２ローラ１４は、その回転軸１６が、テープ繰出ヘッド１２の左右の側壁に形成した、第１ローラ１３の軸中心方向を向く長孔１７間に軸支されて、第１ローラ１３に対する圧接方向に移動可能にすることにより、第１ローラ１３による折返し後のベーステープ１０を、第１ローラ１３との間で挟圧可能なっている。
不使用時には、図２に示すように、第２ローラ１４は第１ローラ１３よって後方に向けて折り返されたベーステープ８の張力によって、第１ローラ１３から離間して位置するようになっているとともに、その外周部の一部が、テープ繰出ヘッド１２の上部に突出するようにしてある。
【００２２】
供給リール３には、逆回転防止機構１８が設けられ、この逆回転防止機構１８は、供給リール３に同軸的に同期回転するラチェット歯車１９、一端が収容ケース２内に固定された板ばね２０とより構成するとともに、この板ばね２１の自由端２０ａを、ラチェット歯車１９の外周に弾性的に当接させて、ラチェット歯車１９の一方の回転方向に対して摺接可能に配置することにより、粘着用テープ９の繰出し方向に回転する供給リール３の逆回転が防止される。
【００２３】
次に、テープ繰出し装置１における粘着用テープ９の繰出し操作を、図４および図５に基いて説明する。
まず、収容ケース２を手で握持し、その手の人差し指をもって、テープ繰出ヘッド１２の上部に突出した第２ローラ１４の外周部を、図４に示すように、ベーステープ１０の張力に抗して、下方に向けて押圧し、この押圧力Ｆをもって、第２ローラ１４を第１ローラ１３に圧接することにより、ベーステープ１０を、第１ローラ１３と第２ローラ１４との間で挟圧状態をもって保持する。
【００２４】
この状態で、第２ローラ１４を、人差し指をもって、図４に矢印Ｘで示すように、前方に押し込むようにして回転させると、ベーステープ１０は、後方に向けて引き込まれるように移動する同時に、供給リール３に巻回された粘着用テープ９が引っ張り出されて、第１ローラ１３に向けて供給リール６から繰り出される。
このとき、供給リール３の回転に伴う供給ギア６の回転により、供給ギア６に中間ギア８を介して噛合する巻取ギア７が連係して回転し、巻取リール４を回転させて、ベーステープ１０が巻き取られる。
【００２５】
供給リール３から繰り出された粘着用テープ９は、図５に示すように、テープ繰出しヘッド１２の第１ローラ１３によって、上方に向けて反り曲がるように屈曲させられ、この屈曲変位をもって、腰のある粘着片１１が分断線ａを境にベーステープ１０の下面から分断されて剥離される。
これにより、テープ繰出し時に、第２ローラ１４を、手の指などによって、第１ローラ１３に向けて押圧し、第１ローラ１３に圧接させながら回転させるだけの簡易な構造をもって、粘着用テープ９における粘着片１１のテープ繰出し操作が容易に行える。
【００２６】
図６は、本発明のテープ繰出し装置を塗膜転写装置として使用する際の転写操作状態を示す側面図である。
【００２７】
本実施形態のテープ繰出し装置を塗膜転写装置として使用する場合には、図６に示すように、供給リール３から繰り出される粘着用テープ９を、第１ローラ１３をもって、被転写面である紙面Ｐ上に圧接し、後方Ｙに向けて移動させて転写操作することにより、粘着用テープ９におけるベーステープ１０上の粘着片１１が、紙面Ｐ上に連続的に転写可能になっている。
【図面の簡単な説明】
【００２８】
【図１】本発明の一実施形態における粘着用テープ繰出し装置の使用時の握持状態を示す側面図である。
【図２】粘着用テープ繰出し装置における不使用時の拡大縦断面図である。
【図３】粘着用テープの一部拡大断面図である。
【図４】粘着用テープ繰出し装置のテープ繰出し操作状態を示す拡大縦断面図である。
【図５】テープ繰出ヘッドにおける粘着用テープの繰出し状態を一部切欠いて示す要部拡大斜視図である。
【図６】本発明のテープ繰出し装置を塗膜転写装置として使用する際の転写操作状態を示す側面図である。
【符号の説明】
【００２９】
１    テープ繰出し装置
２    収容ケース
２ａ  前端開口
３    供給リール
４    巻取リール
５    動力伝達機構
６    供給ギア
７    巻取ギア
８    中間ギア
９    粘着用テープ
１０  ベーステープ
１１  粘着片
１２  テープ繰出ヘッド
１２ａ  前端
１３  第１ローラ
１４  第２ローラ
１５  回転軸
１６  回転軸
１７  長孔
１８  逆回転防止機構
１９  ラチェット歯車
２０  板ばね
２０ａ  自由端
ａ    分断線
Ｆ    押圧力
Ｘ    前方
Ｙ    後方
【図１】
2010083086.tif 000003
【図２】
2010083086.tif 000004
【図３】
2010083086.tif 000005
【図４】
2010083086.tif 000006
【図５】
2010083086.tif 000007
【図６】
2010083086.tif 000008